(57)【要約】【課題】  環状のフレームの略全周に亘って表示画面が配置された表示部を有する小型、携帯型の装置において、表示対象を視認するのに適切な位置に表示することのできる表示装置、表示装置の制御方法、制御プログラムおよび記録媒体を提供する。【解決手段】  環状のフレーム１２と、この環状のフレーム１２の周面に沿って配置された表示部１１と、前記フレーム１２に載置され、重力加速度方向を検出する検出部１７と、この検出部１７により検出された重力加速度方向に基づいて、表示部１１の表示領域のうち、前記フレームに対して重力加速度方向とは逆方向の位置から視認可能な所定位置を表示基準位置として表示領域への表示対象の表示を行う制御部１４と、を備えた。【選択図】      図８
2006171412.tif 000002
【特許請求の範囲】
【請求項１】
環状のフレームと、
前記フレームの周面に沿って配置された表示部と、
前記フレームに載置され、重力加速度方向を検出するための検出部と、
前記検出部の検出結果に基づいて、前記表示部の表示領域のうち、前記フレームに対して重力加速度方向とは逆方向の位置から視認可能な所定位置を表示基準位置として前記表示領域への表示対象の表示を行う制御部と、
を備えたことを特徴とする表示装置。
【請求項２】
前記制御部は、前記表示基準位置を前記表示対象の表示の中心位置、あるいは、前記表示対象の表示開始位置として、前記表示対象を表示することを特徴とする請求項１に記載の表示装置。
【請求項３】
前記表示基準位置を前記重力加速度方向とのなす角度が前記フレームの周面に沿って所定角度ずれた位置とすることを特徴とする請求項１または請求項２に記載の表示装置。
【請求項４】
前記制御部は、前記表示基準位置の変更に伴って前記表示対象の表示位置を変更するに際し、前記表示基準位置の変更速度あるいは前記表示基準位置の移動速度を緩和させる処理を実行することを特徴とする請求項１または２に記載の表示装置。
【請求項５】
前記制御部は、前記検出部で検出される重力加速度方向を、所定の時間間隔でサンプリングすることを特徴とする請求項１乃至４のいずれかに記載の表示装置。
【請求項６】
前記制御部は、前記フレームが傾斜し、前記フレームの中心軸線と水平面との成す鋭角が、一定角度以上になった場合に、傾斜時における、予め設定された表示処理を行うことを特徴とする請求項１乃至５に記載の表示装置。
【請求項７】
前記表示部が、帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記制御部は、前記仮定した表示領域に表示すべき部分の表示を禁止することを特徴とする請求項１乃至６に記載の表示装置。
【請求項８】
前記表示部が、帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記制御部は、前記仮定した表示領域に表示すべき部分を、前記表示パネルの端部を前記表示対象の表示開始位置として前記表示対象を前記表示部に表示することを特徴とする請求項１乃至６のいずれかに記載の表示装置。
【請求項９】
前記表示部が帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記表示対象の表示位置をずらして前記表示部の実際の表示領域に前記表示対象の全部を表示することを特徴とする請求項１ないし請求項６のいずれかに記載の表示装置。
【請求項１０】
前記表示部が帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記制御部は、前記表示対象の前記表示領域への表示を禁止することを特徴とする請求項１乃至６のいずれかに記載の表示装置。
【請求項１１】
前記表示部が帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記表示パネルの表示領域のうち予め設定された位置を前記表示基準位置として前記表示対象を表示することを特徴とする請求項１乃至６のいずれかに記載の表示装置。
【請求項１２】
前記検出部は、前記フレームの外周面と前記表示部の内周面との間に配置されていることを特徴とする請求項１乃至１１のいずれかに記載の表示装置。
【請求項１３】
前記検出部は、加速度センサーを備え、少なくとも２軸の加速度を検出して前記重力加速度方向を検出することを特徴とする請求項１乃至１２のいずれかに記載の表示装置。
【請求項１４】
環状のフレームの周面に沿って配置された表示部の表示領域に表示対象を表示する表示装置の制御方法において、
前記環状のフレームの移動に対応して、重力加速度方向を検出する過程と、
検出された前記重力加速度方向に基づいて、前記表示部の表示領域のうち、前記フレームに対して重力加速度方向とは逆方向の位置から視認可能な所定位置を表示基準位置として表示対象の前記表示領域への表示を行う過程と、
を備えたことを特徴とする表示装置の制御方法。
【請求項１５】
環状のフレームと、この環状のフレームの周面に沿って配置された表示部と、前記環状のフレームに取り付けられ、重力加速度方向を検出する検出部と、を備えた表示装置を、コンピューターにより制御するための制御プログラムにおいて、
前記環状のフレームの移動に対応して、重力加速度方向を検出させ、
この検出された前記重力加速度方向に基づいて、前記表示部の表示領域のうち、前記フレームに対して重力加速度方向とは逆方向の位置から視認可能な所定位置を表示基準位置として前記表示領域への表示対象の表示を行わせる、ことを特徴とする制御プログラム。
【請求項１６】
請求項１５に記載の制御プログラムを記録したことを特徴とするコンピューター読取可能な記録媒体。
【発明の詳細な説明】
【技術分野】
【０００１】
本発明は、表示装置、表示装置の制御方法、制御プログラムおよび記録媒体に係り、特に腕などに装着する環状の表示装置、表示装置の制御方法、制御プログラムおよび記録媒体に関する。
【背景技術】
【０００２】
従来、腕に装着する形式の表示装置として、ブレスレット型のものが知られている（例えば、特許文献１および特許文献２参照）。
【特許文献１】特開２０００−２０９３１９号公報
【特許文献２】実用新案登録第３０９６５５９３号公報
【発明の開示】
【発明が解決しようとする課題】
【０００３】
このようなブレスレット型の表示装置であると、腕に装着しているときに、腕の周りを自由に回ってしまうため、ユーザーの見えない位置に表示位置が移動してしまう可能性があった。
【０００４】
そこで、本発明の目的は、環状のフレームの略全周に亘って表示画面が配置された表示部を有する小型、携帯型の装置において、表示対象を視認するのに適切な位置に表示することのできる表示装置、表示装置の制御方法、制御プログラムおよび記録媒体を提供することにある。
【課題を解決するための手段】
【０００５】
上記課題を解決するため、表示装置は、環状のフレームと、前記フレームの周面に沿って配置された表示部と、前記フレームに載置され、重力加速度方向を検出するための検出部と、前記検出部の検出結果に基づいて、前記表示部の表示領域のうち、前記フレームに対して重力加速度方向とは逆方向の位置から視認可能な所定位置を表示基準位置として前記表示領域への表示対象の表示を行う制御部と、を備えたことを特徴としている。
【０００６】
上記構成によれば、検出部は、重力加速度方向を検出する。
これにより制御部は、検出された重力加速度方向に基づいて、表示部の表示領域のうち、フレームに対して重力加速度方向とは逆方向の位置から視認可能な所定位置を表示基準位置として表示領域への表示対象の表示を行う。
この場合において、前記制御部は、前記表示基準位置を前記表示対象の表示の中心位置、あるいは、前記表示対象の表示開始位置として、前記表示対象を表示するようにしてもよい。
また、前記表示基準位置を前記重力加速度方向とのなす角度が前記フレームの周面に沿って所定角度ずれた位置とするようにしてもよい。
【０００７】
さらに、前記制御部は、前記表示基準位置の変更に伴って前記表示対象の表示位置を変更するに際し、前記表示基準位置の変更速度あるいは前記表示基準位置の移動速度を緩和させる処理を実行するようにしてもよい。
さらにまた、前記制御部は、前記検出部で検出される重力加速度方向を、所定の時間間隔でサンプリングするようにしてもよい。
さらにまた、前記制御部は、前記フレームが傾斜し、前記フレームの中心軸線と水平面との成す鋭角が、一定角度以上になった場合に、傾斜時における、予め設定された表示処理を行うようにしてもよい。
【０００８】
また、前記表示部が、帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記制御部は、前記仮定した表示領域に表示すべき部分への表示を禁止するようにしてもよい。
さらに、前記表示部が、帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記制御部は、前記仮定した表示領域に表示すべき部分を、前記表示パネルの端部を前記表示対象の表示開始位置として前記表示対象を前記表示部に表示するようにしてもよい。
【０００９】
さらに、前記表示部が帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記表示対象の表示位置をずらして前記表示部の実際の表示領域に前記表示対象の全部を表示するようにしてもよい。
さらにまた、前記表示部が帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記制御部は、前記表示対象の前記表示領域への表示を禁止するようにしてもよい。
また、前記表示部が帯状の表示パネルを環状に巻いて形成され、この表示パネルの表示領域が存在しない端部間に表示領域が存在すると仮定し、前記仮定した表示領域に前記表示対象の少なくとも一部が表示されることとなる場合に、前記表示パネルの表示領域のうち予め設定された位置を前記表示基準位置として前記表示対象を表示するようにしてもよい。
【００１０】
さらに、前記検出部は、前記フレームの外周面と前記表示部の内周面との間に配置されているようにしてもよい。
また、前記検出部は、加速度センサーを備え、少なくとも２軸の加速度を検出して前記重力加速度方向を検出するようにしてもよい。
【００１１】
また、環状のフレームの周面に沿って配置された表示部の表示領域に表示対象を表示する表示装置の制御方法において、前記環状のフレームの移動に対応して、重力加速度方向を検出する過程と、検出された前記重力加速度方向に基づいて、前記表示部の表示領域のうち、前記フレームに対して重力加速度方向とは逆方向の位置から視認可能な所定位置を表示基準位置として表示対象の表示を行う過程と、備えたことを特徴としている。
【００１２】
また、環状のフレームと、この環状のフレームの周面に沿って配置された表示部と、前記環状のフレームに取り付けられ、重力加速度方向を検出する検出部と、を備えた表示装置を、コンピューターにより制御するための制御プログラムにおいて、前記環状のフレームの移動に対応して、重力加速度方向を検出させ、この検出された前記重力加速度方向に基づいて、前記表示部の表示領域のうち、前記フレームに対して重力加速度方向とは逆方向の位置から視認可能な所定位置を表示基準位置として表示対象の表示を行わせる、ことを特徴としている。
また、上記制御プログラムをコンピューター読取可能な記録媒体に記録することも可能である。
【発明の効果】
【００１３】
本発明によれば、環状のフレームの周面に沿って表示画面が配置されたブレスレット型表示装置において、表示対象をユーザーが視認するのに適切な位置に表示することができ、視認性を向上させることができる。
【発明を実施するための最良の形態】
【００１４】
次に図面を参照して本発明の好適な実施の形態について詳細に説明する。
［１］第１実施形態
図１は、第１実施形態の表示装置１０の外観斜視図である。図２は、第１実施形態の表示装置１０の外観側面図である。
表示装置１０は、大別すると、各種情報を表示する表示ユニット１１と、ボビン形状を有し、ユーザーの腕に装着されるとともに、表示ユニット１１を支持するフレーム１２と、を備えている。この場合において、フレーム１２の内径は、ブレスレットを想定した場合には、５０〜７０ｍｍφとしている。
フレーム１２の表示ユニット１１の側方部は、図１および図２に示すように、表示ユニット１１の表示面を保護すべく突設されている。
【００１５】
図３は、表示装置１０の概要構成ブロック図である。
表示装置１０は、大別すると、上述した表示ユニット１１と、各部に電力を供給する電源１３と、表示装置１０全体を制御するコントローラー１４と、基準発振信号を生成し出力する発振部１５と、各種情報を記憶する外部メモリー１６と、情報入力を行うためのセンサー部１７と、外部から表示データを受信する無線部１８と、を備えている。
【００１６】
図４は組込前の表示ユニット１１の平面図である。
表示ユニット１１は、樹脂（プラスチック）などの可撓性部材で形成されたフレキシブル基板２１を備えている。このフレキシブル基板２１上には、（反射型）液晶ディスプレイパネル、有機ＥＬ（electro luminescence）ディスプレイパネル、電気泳動ディスプレイパネルなどのドットマトリクス表示の表示パネル２２と、表示パネル２２を駆動するためのドライバー回路２３と、が配置されている。また、フレキシブル基板２１の一端には、コントローラー１４に電気的に接続するためのコネクター部２４が設けられている。この場合において、ドライバー回路２３は、例えば、超低温プロセスのＬＴＰＳ−ＴＦＴ（Low Temperature Poly Silicon-Thin Film Transistor）を樹脂製のフレキシブル基板２１上に形成したり、表面実装部品で形成したりすることも可能である。
【００１７】
電源１３は、フレーム１２の周面に沿って配置する必要があるため、フレキシブルで形状変化が可能なものが好ましい。例えば、二次電池であるリチウムポリマー電池で構成されている。しかしながら、フレキシブルな材質でなくとも、フレーム１２の周面に沿った形状とすることができれば構わない。この場合において、充電方式としては、通常良く行われているように、充電用の端子をフレーム１２に設けることも可能であるが、電磁誘導などの方式によって無線で電力を供給するように構成することも可能である。また、フレーム１２の裏面側から電池交換可能な構造とすれば、通常のボタン電池などの一次電池を用いることも可能である。
【００１８】
コントローラー１４は、いわゆるマイクロコンピューターとして構成されており、図示しないＭＰＵ、ＲＯＭ、ＲＡＭなどを備え、ＲＯＭに予め格納された制御プログラムに基づいてＭＰＵが処理を行って表示装置１０全体を制御する。ＲＡＭには、各種データが一時的に格納される。
【００１９】
発振部１５は、水晶発振器を内蔵しており、コントローラー１４が各種基準クロック等として用いるための基準発振信号を生成し、コントローラー１４に出力する。
外部メモリー１６は、主として、表示データを記憶するものであり、必要に応じてその一部又は全部を不揮発性メモリーとされる。
【００２０】
センサー部１７は、重力加速度方向等の加速度検出部や操作部として機能し、例えば、３軸加速度センサーを備え、各軸における加速度から重力加速度方向を検出したり、ユーザーによる腕の振りの状態などを検出して、表示画像選択、表示開始／停止などの各種操作を行ったり、一定時間加速度を検出しないときには、表示装置１０が使用されていないと判断し、電源を切ったりする。
無線部１８は、近距離無線通信を行って外部のパーソナルコンピューター、専用画像転送装置、画像管理システム等から表示データを受信し、コントローラー１４の制御下で外部メモリー１６に転送する。
【００２１】
図５は、図２に示した表示装置１０のＡ−Ａ断面図である。図６は、図５に示した表示装置１０のＢ−Ｂ断面図である。なお、図６において、各部材を支持する支持部材については図示を省略している。
図５に示すＢ１の部分においては、図６からも解るように、表示装置１０のフレーム１２の周面から外側に向かって、電源１３、表示ユニット１１、カバー３０の順番で配置されている。ここで、カバー３０は、透明樹脂若しくは透明ガラスで形成されており、表示ユニット１１を保護している。
【００２２】
また、図５に示すＢ２の部分においては、図６からも解るように、表示装置１０のフレーム１２の周面から外側に向かって、各種電子部品３１が配置されたフレキシブル基板３２、表示ユニット１１、カバー３０の順番で配置されている。
ここで、各種電子部品３１およびフレキシブル基板３２により、コントローラー１４、発振部１５、外部メモリー１６、センサー部１７、無線部１８が構成されている。
【００２３】
また、図５に示すように、表示ユニット１１は、フレーム１２の周面に沿って、略全周（略３６０゜）にわたって表示パネル２２が配置されている。
さらに、電源１３とフレキシブル基板３２とは電源コネクター部３３を介して電気的に接続されている。また、フレキシブル基板３２と表示ユニット１１とはコネクター部２４を介して電気的に接続されており、これによりフレキシブル基板３２上のコントローラー１４と表示ユニット１１とが電気的に接続される。
【００２４】
さらに、電源１３とフレキシブル基板３２とは、フレーム１２の周面の異なる部分に配置されているので、厚さを低減することができるようになっている。
【００２５】
図７にセンサー部１７により検出した重力加速度方向線Ｇを基準にして、表示ユニット１１上に表示対象を表示する際のフローチャートを示す。
本実施形態においては、検出された重力加速度方向（重力加速度方向線Ｇ）に基づいて、表示部を構成する表示ユニット１１の表示領域のうち、フレーム１２に対して重力加速度方向とは逆方向の位置から視認可能な所定位置を表示基準位置として表示領域への表示対象の表示を行うようにしている。すなわち、表示装置１０をユーザーが腕に装着したときに、より視認しやすい面（重力加速度方向とは逆方向の位置から視認可能な面）のいずれかを表示基準位置として表示対象（文字、画像など）の表示を行うようにしているのである。
以下、具体的に説明する。
【００２６】
図１に示すように表示装置１０の中心から遠心方向をＸ軸、Ｙ軸とする。ここで、Ｙ軸はＸ軸と直交する。フレーム１２の軸方向をＺ軸とする。また、Ｘ軸と表示ユニット１１との交点上に位置する表示ユニット１１上の位置を初期位置１００とする。フレーム１２の移動に応じてＸ軸も移動し、Ｘ軸は常に表示装置１０の中心と初期位置１００とを結ぶ線上にある。
【００２７】
先ず、センサー部１７がＸ、Ｙ、Ｚ軸それぞれの加速度Ｘsense、Ｙsense、Ｚsenseを検出する（ステップＳ１）。なお、本実施形態においては、加速度Ｘsense、Ｙsense、Ｚsenseを正規化して扱うようにしている。より詳細には、重力加速度のみの影響を受けている状態である表示装置１０の静止状態において、次式が成立するものとして取扱いを行っている。
Ｘsense2＋Ｙsense2＋Ｚsense2＝１
【００２８】
センサー部１７が加速度Ｘsense、Ｙsense、Ｚsenseを検出したら、次にコントローラー１４がＺ軸の加速度Ｚsenseを二乗した値（＝Ｚsense2）が０．７５よりも大きいか否かを判断する（ステップＳ２）。
【００２９】
ここで、Ｚ軸の加速度Ｚsenseを二乗した値を０．７５と比較するのは、フレーム１２が傾斜しているか否かを判断するためである。より詳細には、本実施形態では、フレーム側面１２Ｓと水平面とのなす鋭角の角度が約３０度以下である場合、すなわち、Ｚ軸の加速度Ｚsenseを二乗した値が０．７５より大きい場合に、コントローラー１４は表示装置１０が傾斜していると判断する。
【００３０】
よって、Ｚ軸の加速度Ｚsenseを二乗した値が０．７５よりも大きいときは（ステップＳ２：ＹＥＳ）、フレーム１２と水平面とのなす角度が約３０度以下であり、コントローラー１４は表示装置１０が傾斜していると判断し、傾斜時処理を行う（ステップＳ３）。傾斜時処理としては、例えば、初期位置に表示を行う、表示対象が周面を回転する、消灯する、といったユーザーが予め設定した処理である。また、この傾斜していると判断する角度は、３０度には限られず、センサー部１７の感度や商品仕様に応じて、任意に設定することが可能である。
【００３１】
しかし、ステップＳ２において、Ｚ軸の加速度Ｚsenseを二乗した値が０．７５以下であると判断したときは（ステップＳ２：ＮＯ）、コントローラー１４はセンサー部１７によって検出したＸ軸及びＹ軸の加速度Ｘsense、Ｙsenseから、フレーム１２の中心を通る重力加速度方向線Ｇ上に位置する表示ユニット１１上の位置との角度α（図８参照）を算出する（ステップＳ４）。
【００３２】
角度β（図８）は、フレーム１２の中心を通る鉛直方向線Ｇ上に位置する表示ユニット１１上の位置である表示部上端１１Ｔを表示基準位置にするために、検出した重力加速度方向（表示パネル２２の鉛直方向下端）から表示部上端１１Ｔに変換するための１８０度と、表示部上端１１Ｔから実際にユーザーが視認しやすい位置に表示するためのオフセット角γとの和である。例えば、図８において、オフセット角γが表示部上端１１Ｔから時計回りの方向（角度はマイナス方向）に４５度であるとすると、
β＝１８０＋γ
＝１８０＋（−４５）
＝１３５［度］
となる。同様に、オフセット角γが表示部上端１１Ｔから反時計回りの方向に４５度（＋４５度）であるとすると、
β＝１８０＋γ
＝１８０＋４５
＝２２５［度］
となる。
【００３３】
コントローラー１４はフレーム１２のＸ軸と鉛直方向線Ｇとの角度αを算出すると、この角度αに角度βを加算した表示パネル２２上の位置に表示対象を表示する。従って、例えば角度αが３０度であるとすると、角度βが１３５度のとき（鉛直方向との角度が１３５度のとき）にはＸ軸との角度が１６５度となる位置を表示位置とする。
また、このときコントローラー１４はＺ軸の加速度Ｚsenseから、表示対象の上下の向き（図１のＺ＋側を上にするか、Ｚ−側を上にするか）を判断する。
【００３４】
このように重力加速度の方向を検出することにより、表示パネル２２上において、ユーザーの視認しやすい位置に表示を調整することができる。しかしながら、ステップＳ１における検出処理（サンプリング）に従って、表示パネル２２上の表示対象の表示位置を常に変更していると、表示装置１０を完全に固定しなくては、表示対象が表示パネル２２上で常に揺れている状態となってしまうため、本実施形態ではセンサー部１７による検出処理を２秒毎に行う。
【００３５】
このとき、実際に表示パネル２２に表示する時には、移動平均法による処理を行い、表示位置の変更速度あるいは表示位置の移動速度を実際のフレーム１２の動きよりも緩和して、表示位置の変更をなだらかに行う。
例えば、図９に示すように、表示パネル２２上に１〜１０の番号が割り当てられた１０個の表示基準位置があるとする。
【００３６】
この場合に、過去４回のα＋βの位置、つまり表示基準位置が、番号１→３→５→７の順に移動し、次に表示基準位置が番号８で特定される位置にあったとする。移動平均法による処理を行わなければ現在の表示基準位置は、番号８で特定される位置であるが、移動平均法による処理を行うことにより、過去４回分と今回の位置の和を回数で割り、平均する。つまり、１＋３＋５＋７＋８を５で割ると４．８になり、四捨五入して番号５の位置を表示基準位置として表示を行う。同様に、さらに次のα＋βの位置も番号８で特定される位置であるとすると、３＋５＋７＋８＋８を５で割ると６．２になり、四捨五入して番号６で特定される位置を表示基準位置として表示する。さらに次のα＋βの位置が番号８で特定される位置であると、５＋７＋８＋８＋８を５で割ると７．２になり、四捨五入して番号７で特定される位置を表示基準位置として表示する。
このように平均を取りながら表示位置を移動させることによって、表示位置の移動がなだらかになり、視認性が向上することとなる。
【００３７】
ところで、表示ユニット１１では、図４に示すように、表示領域５０１を形成する帯状の表示パネル２２をリング状に巻きつけて形成するため、図５に示すように、端部間の合わせ目に表示領域が存在しない非表示領域５００が形成されている。
図１０に表示対象が表示パネル２２の表示領域５０１に収まらないときの表示パネル２２の表示状態を示す。
【００３８】
表示装置１０は、フレーム１２の外周に沿って帯状の表示ユニット１１（図４）を巻きつけた構成（図５）となっており、表示パネル２２は端部２２ａ及び２２ｂを有してしまう。そのため、表示対象の表示位置が非表示領域５００を含むこととなり、表示対象が表示パネル２２の表示領域５０１内に収まらなくなってしまう。ユーザーはこのような場合の処理方法について図１０に示すパターンの中から選択することが可能である。
【００３９】
図１０（ａ）は、表示対象のうち、表示パネル２２の表示領域５０１に収まらない部分を表示しないパターンである。図１０（ｂ）は、表示対象のうち、表示パネル２２の表示領域５０１に収まらない部分を表示パネル２２の反対側の端部２２ｂに表示させるパターンである。このパターンによると、表示パネル２２の両端部２２ａと２２ｂとを結合し、環状にした表示パネル２２を用いた場合に、表示対象が切れ目なく表示パネル２２の全周に亘って表示することができる。図１０（ｃ）は、表示対象が表示パネル２２の端部２２ａに到達したときには、それ以上表示対象の表示位置が変化しないように表示するパターンである。図１０（ｄ）は、表示対象が表示パネル２２の表示領域５０１に収まらないときには、表示ユニット１１を消灯するパターンである。図１０（ｅ）は、表示対象が表示パネル２２の表示領域５０１に収まらないときには、表示対象を初期位置１００に表示するパターンである。
【００４０】
このように、表示領域内に全ての表示対象を表示することができなくなるような場合には、ユーザーの好みに応じて表示態様を変更することができ、より使い勝手が向上する表示、あるいは違和感のない表示が行える。
【００４１】
［２］第２実施形態
以上の第１実施形態においては、表示装置１０は、フレーム１２が完全な環状であったが、本第２実施形態では、表示ユニット１１１を支持するフレーム１１２は、環状であるが、円弧の一部が切れた形状である点で異なっている。
図１１は、第２実施形態の表示装置１１０の外観斜視図である。図１２は、第２実施形態の表示装置１１０における表示領域と非表示領域との関係説明図である。
【００４２】
表示ユニット１１１は表示装置１１０の中心に配置されており、表示装置１１０の表示領域１２１がフレーム１１２の中心軸を基準に１８０度となる。そして、表示ユニット１１１の端部１２２ａと１２２ｂとのフレーム１２の周面に沿った端部間には、図１２に示すように、表示領域１２１が存在しない非表示領域１２０がある。
【００４３】
このような表示領域１２１がほぼ全周に亘っていない表示装置１１０においては、表示領域１２１が狭いため、表示対象の表示位置が表示領域１２１内に収まらない可能性が高く、表示対象が表示領域１２１に収まらないときの処理（図１０）を行うことが第１実施形態のときよりも多くなる。
従って、第１実施形態で示したように、図１０（ａ）〜図１０（ｅ）に示したパターンをユーザーに選択させることにより、表示領域内に全ての表示対象を表示することができなくなるような場合が多くても、ユーザーの好みに応じて表示態様を変更することができ、より使い勝手が向上する表示、あるいは違和感のない表示が行える。
【００４４】
以上、二つの実施形態に基づいて本発明を説明したが、本発明は、これに限定されるものではない。例えば、実施形態ではセンサー部１７として３軸加速度センサーを用いていたが、これに限らずフレーム１２の傾きやＺ軸方向の回転態様を検出できれば、２軸加速度センサー、複数の１軸加速度センサー、ジャイロセンサー等を用いてもよい。
ここで、センサー部６１として２軸加速度センサーを用いた場合について説明する。
センサー部６１として２軸加速度センサーを用いた場合であっても、基本構成および基本的な動作は、上記各実施形態と同様である。
３軸加速度センサーを用いた場合と２軸加速度センサーを用いた場合とで、主な相違点は、フレキシブル基板６０の形状である。以下、フレキシブル基板６０の形状について説明する。
【００４５】
図１３に２軸加速度センサーを用いたときのフレキシブル基板６０を示す。
図１３（ａ）は、フレキシブル基板６０を展開した状態を示す図である。
フレキシブル基板６０は凸形であり、このフレキシブル基板６０には、コントローラー６２、各種電子部品６３が基板本体部６０Ａに配置され、センサー部６１はフレキシブル基板６０の凸部６０Ｂに配置されている。フレーム１２に対する重力加速度方向を検出するのに、２軸しか検出できない２軸加速度センサーでは、その検出できる二つの軸がともにフレーム１２の遠心方向（例えば図中のＸ、Ｙ軸）になければならない。そのため、フレキシブル基板６０を表示装置５０に配置するときには、（ｂ）に示すように全体をフレーム１２に沿って湾曲させ、センサー部６１が配置された凸部６０Ｂを屈曲部６４で折り曲げることにより、センサー部６１の検出方向がフレーム１２の遠心方向となり、表示装置５０に対する鉛直方向を検出することが可能となる。
【００４６】
図１４は、２軸加速度センサーにより検出した重力加速度方向を基準に、表示ユニット上に表示対象を表示する際のフローチャートである。
図１と同様に表示装置１０の軸方向をＸ、Ｙ、Ｚ軸を定義する。先ず、センサー部６１がＸ、Ｙ軸それぞれの加速度Ｘsense、Ｙsenseを検出する（ステップＳ１１）。
【００４７】
センサー部６１が加速度Ｘsense、Ｙsenseを検出したら、次にコントローラー６２が加速度ＸsenseとＹsenseとをそれぞれ二乗して加えた値が０．２５よりも小さいか否かを判断する（ステップＳ１２）。
【００４８】
このとき、Ｘ、Ｙ軸の加速度ＸsenseとＹsenseとをそれぞれ二乗して加えた値を０．２５と比較するのは、第１実施形態同様、フレーム１２が傾いたときの表示装置１０と水平線との角度が約３０度以下になっているか否かを判断するためである。よって、Ｘ、Ｙ軸の加速度ＸsenseとＹsenseとをそれぞれ二乗して加えた値が０．２５よりも小さくないときであったら（ステップＳ１２：ＹＥＳ）、表示装置１０と水平線との鋭角の角度が約３０度以下であり、コントローラー６２は表示装置１０が傾斜していると判断し、ユーザーが予め設定した傾斜時処理を行う（ステップＳ１３）。
【００４９】
しかし、ステップＳ１２において、Ｘ、Ｙ軸の加速度ＸsenseとＹsenseとをそれぞれ二乗して加えた値が０．２５よりも小さくないと判断したときは（ステップＳ１２：ＮＯ）、コントローラー６２はセンサー部６１によって検出したＸ軸及びＹ軸の加速度Ｘsense、Ｙsenseから表示装置１０の基準軸（例えばＸ軸）とフレーム１２の中心を通る鉛直方向線Ｇの線上との角度αを算出する（ステップＳ１４）。
【００５０】
コントローラー６２は表示装置１０の基準軸と鉛直方向線Ｇとの角度αを算出すると、この角度αに第１実施形態で説明した角度βを足した表示パネル２２上の位置に、表示対象を表示する。
【００５１】
また、以上の説明においては、加速度センサーにより重力加速度方向を検出し、これを基準としているが、これに限らず、水平線方向等、重力加速度方向を元に検出される方向であればその他の任意な角度であってもよい。
【００５２】
以上の説明においては、ドットマトリクス表示の表示パネル２２を用いていたが、図１６に示すようなセグメント表示の表示パネル２２であってもよい。図１６（ａ）から（ｄ）はそれぞれ、上段が非表示時（消灯時）の表示パネル２２の表示状態であり、下段が時刻表示状態の表示パネル２２の表示状態である。（ａ）は横連続表示であり、下段ではセグメント７０に「１０」と「３８」とを表示している。（ｂ）は横不連続表示（７セグメント表示）＋コロン付の表示形態であり、ここでは、セグメント７９に「１」、セグメント８０に「０」、セグメント８１に「：」、セグメント８２に「３」、セグメント８３に「８」を表示している。（ｃ）は縦連続表示であり、セグメント９０に「１」と「０」と「３」と「８」とを表示している。（ｄ）縦不連続表示（７セグメント表示）であり、ここでは、セグメント９６に「１」、セグメント９７に「０」、セグメント９８に「３」、セグメント９９に「８」を表示している。図中の△は表示部上端１１Ｔであり、ここでは、表示部上端１１Ｔに表示対象の中心（「１０」と「３８」との間の中心）が位置するように表示している。
【００５３】
以上の説明においては、表示ユニット１１が一つあるいは二つの場合について説明したが、さらに多くの表示ユニット１１を備えるように構成することも可能である。この場合においても、複数の表示ユニット１１において、表示の同期をとるように構成することも可能である。
【００５４】
以上の説明においては、表示装置１０を制御するための制御プログラムが予めＲＯＭに記憶されている場合について説明したが、各種磁気ディスク、光ディスク、メモリーカードなどの記録媒体に制御用プログラムをあらかじめ記録し、これらの記録媒体から読み込み、インストールするように構成することも可能である。また、無線部をインターネット、ＬＡＮなどのネットワークに接続し、ネットワークを介して制御用プログラムをダウンロードし、インストールして実行するように構成することも可能である。このように構成することにより、ソフトウェア的により高機能の表示制御を行えるようにしたりすることが可能となる。
【図面の簡単な説明】
【００５５】
【図１】第１実施形態の表示装置の外観斜視図である。
【図２】第１実施形態の表示装置の外観側面図である。
【図３】第１実施形態の表示装置の概要構成ブロック図である。
【図４】第１実施形態における組込前の表示ユニットの平面図である。
【図５】図２に示した表示装置のＡ−Ａ縦断面図である。
【図６】図５に示した表示装置の動作説明図である。
【図７】重力加速度方向の検出及び表示位置の決定動作を示すフローチャートである。
【図８】表示基準位置の決定方法を示す外観斜視図である。
【図９】表示基準位置の変更方法を示す表示パネルの平面図である。
【図１０】表示対象が表示パネルの表示領域に収まらないときの表示状態である。
【図１１】第２実施形態における図８相当図である。
【図１２】第２実施形態の表示装置における表示領域と非表示領域との関係説明図である。
【図１３】２軸加速度センサーを用いた場合のフレキシブル基板である。
【図１４】２軸加速度センサーを用いた場合の重力加速度方向の検出及び表示位置の決定動作を示すフローチャートである。
【図１５】セグメント表示の表示パネルを用いた場合の表示状態である。
【符号の説明】
【００５６】
１０  表示装置、  １１  表示ユニット（表示部）、１２  フレーム（環状のフレーム）、１４  コントローラー（制御部）、１７  センサー部（検出部）、２２  表示パネル、５００  非表示領域、５０１  表示領域
【図１】
2006171412.tif 000003
【図２】
2006171412.tif 000004
【図３】
2006171412.tif 000005
【図４】
2006171412.tif 000006
【図５】
2006171412.tif 000007
【図６】
2006171412.tif 000008
【図７】
2006171412.tif 000009
【図８】
2006171412.tif 000010
【図９】
2006171412.tif 000011
【図１０】
2006171412.tif 000012
【図１１】
2006171412.tif 000013
【図１２】
2006171412.tif 000014
【図１３】
2006171412.tif 000015
【図１４】
2006171412.tif 000016
【図１５】
2006171412.tif 000017